(57)【要約】  【課題】トラフを壁面に寄せて配置した場合等にもトラフ本体の開口に被せたトラフ用蓋をトラフ本体に容易かつ確実に固定することができ、固定した後には取り外し方法が容易に察知されないトラフ用蓋固定部材及びトラフを提供することを目的とする。  【解決手段】  底壁部と２つの側壁部とから成るトラフ本体と前記トラフ本体に載置するトラフ用蓋と前記トラフ本体に前記トラフ用蓋を固定するトラフ用蓋固定部材とから成るトラフであって、前記トラフ用蓋固定部材は天板部と２つの側板部とから成り、２つの前記側板部は前記トラフ本体の２つの前記側壁部を挟める間隔を有しており、前記側板部には前記トラフ本体の前記側壁部に設けられた係止部に係止される板バネ部が形成されていることを特徴とするトラフ用蓋固定部材及びトラフである。  【選択図】  図３
2006175462.tif 000002
【特許請求の範囲】
【請求項１】
底壁部と２つの側壁部とを有し上方が開口しているトラフ本体と前記トラフ本体の開口を覆うトラフ用蓋とから成る合成樹脂製のトラフの前記トラフ本体に前記トラフ用蓋を固定するトラフ用蓋固定部材であって、前記トラフ用蓋固定部材は天板部と２つの側板部とから成り、２つの前記側板部は前記トラフ本体の２つの前記側壁部を挟める間隔を有しており、前記側板部には前記トラフ本体の前記側壁部に設けられた係止部に係止される板バネ部が形成されていることを特徴とするトラフ用蓋固定部材。
【請求項２】
前記トラフ用蓋固定部材において、前記板バネ部は前記側板部の内側に形成されており、且つ、前記天板部と前記側板部の接続部近傍にはガイド孔が設けられていることを特徴とする請求項１に記載のトラフ用蓋固定部材。
【請求項３】
前記トラフ用蓋固定部材は折り曲げ一体成形された金属板であることを特徴とする請求項１ないし２に記載のトラフ用蓋固定部材。
【請求項４】
底壁部と２つの側壁部とから成るトラフ本体と前記トラフ本体に載置するトラフ用蓋と前記トラフ本体に前記トラフ用蓋を固定するトラフ用蓋固定部材とから成るトラフにおいて、前記トラフ用蓋固定部材は天板部と２つの側板部とから成り、２つの前記側板部は前記トラフ本体の２つの前記側壁部を挟める間隔を有しており、前記側板部には前記トラフ本体の前記側壁部に設けられた係止部に係止される板バネ部が形成されていることを特徴とするトラフ。
【請求項５】
前記板バネ部は前記側板部の内側に形成されており、且つ、前記天板部と前記側板部の接続部近傍にはガイド孔が設けられていることを特徴とする請求項４に記載のトラフ。
【請求項６】
前記トラフ用蓋固定部材は折り曲げ一体成形された金属板であることを特徴とする請求項４ないし５に記載のトラフ。
【請求項７】
底壁部と２つの側壁部とを有し上方が開口しているトラフ本体の上方に載置したトラフ用蓋を固定するためのトラフ用蓋固定部材の着脱方法であって、天板部と２つの側板部とから成り、２つの前記側板部は前記トラフ本体の２つの前記側壁部を挟める間隔を有し、前記側板部には前記トラフ本体の前記側壁部に設けられた係止部に係止される板バネ部が形成されているトラフ用蓋固定部材を、前記トラフ用蓋の上方から前記板バネ部を前記トラフ蓋及び前記トラフ本体にて圧縮しながら嵌めこみ、前記板バネ部を前記トラフ本体の前記側壁部に形成された前記係止部に係止させて装着することを特徴とするトラフ用蓋固定部材の着脱方法。
【請求項８】
トラフ本体にトラフ用蓋を固定させたトラフ用蓋固定部材の着脱方法において、天板部と２つの側板部とから成り、２つの前記側板部は前記トラフ本体の２つの前記側壁部を挟める間隔に形成されており、前記側板部の下端には前記トラフ本体の前記側壁部に設けられた係止部に係止される内向きの板バネ部が形成されており、且つ、前記天板部と前記側板部の接続部近傍にガイド孔が設けられているトラフ用蓋固定部材の前記ガイド孔に操作棒体を挿入し、前記操作棒体の一部を前記トラフ本体の前記側壁部に、他の一部を前記ガイド孔内側のエッジ部に当接させ、前記操作棒体を幅方向内側に傾斜させることにより前記エッジ部が支点となって前記トラフ用蓋固定部材の前記側板部が外側に押し広げられ、前記板バネ部が前記トラフ本体の前記側壁部に設けられた前記係止部から外れた状態で前記トラフ用蓋固定部材を上方へ除去することを特徴とするトラフ用蓋固定部材の着脱方法。
【発明の詳細な説明】
【技術分野】
【０００１】
本発明は、上方が開口しているトラフ本体と、該トラフ本体の開口を塞ぐトラフ用蓋とからなる、例えば鉄道の線路脇等に布設されて、その内部に通信用ケーブルや電力ケーブル等が収納されるトラフに使用されるトラフ蓋固定用部材に関するものである。
【背景技術】
【０００２】
鉄道の線路脇等に布設されて、その内部に通信用ケーブルや電力ケーブル等が収納されるトラフは、左右の側壁部と底壁部とを有し上方が開口しているトラフ本体と、該トラフ本体の開口を塞ぐトラフ用蓋とからなっている。
このトラフを、例えば鉄道の線路に沿って線路脇に布設する場合、従来はコンクリート製トラフを使用することが多かった。
【０００３】
しかしながら最近では、この重いコンクリート製のトラフに代えて、軽量で布設作業が行い易い合成樹脂製のトラフが使用されるようになってきている。またこの合成樹脂として、例えばプラスチック製品の廃材から再生した再生プラスチック、すなわちリサイクルプラスチックも度々使用されるようになって来ている。この種のものとして、例えば所定長さの合成樹脂製のトラフ同士を、その端部で接続しながら長手方向に延長していくものが知られている（特許文献１）。
この特許文献１に記載のトラフのトラフ本体は、前述したように合成樹脂製で、その形状は、左右の側壁部と底壁部とからなり上方が開口する断面略Ｕ字状をしている。
【０００４】
【特許文献１】特開２０００−５５２４０号公報
【発明の開示】
【発明が解決しようとする課題】
【０００５】
トラフ本体及びトラフ用蓋がコンクリート製であった場合には、トラフ用蓋が重いため、トラフ本体に載置したトラフ用蓋が風等で動いたり、吹き飛ばされたりする恐れが少なかった。そのためトラフ本体とトラフ用蓋とを、敢えてトラフ用蓋が飛ばないように固定する必要はあまりなかった。
ところがトラフ本体及びトラフ用蓋を合成樹脂で形成した場合には、合成樹脂が軽量のため、両者をなんらかの方法で固定しないとトラフ用蓋が風等で飛ばされたり、トラフ本体から外れたりする恐れがある。
【０００６】
そこで本願発明者は先に、図９に示すようなトラフ本体と該トラフ本体の開口に載置したトラフ用蓋とを容易かつ確実に固定でき、また必要に応じて長いトラフのどの位置でもトラフ用蓋を容易に開けることのできるトラフ固定用クリップ３０を提案した（特願２００３−３２７０３０）。このトラフ固定用クリップ３０は、トラフ本体の側壁部に設けられた突起を把持する内側に付勢された断面略Ｕ字状の板バネ３１と、一端が前記板バネ３１に係止され他端が前記トラフ用蓋に設けられた係止部に係止されるフック３２とからなるものである。
【０００７】
このトラフ固定用クリップ３０によれば、トラフ本体と該トラフ本体に載置したトラフ用蓋とを、単に板バネ３１とフック３２からなるクリップという簡単な構造の部品で、しかも板バネ３１をトラフ本体側壁部の突起に係止させ、フック３２をトラフ用蓋に設けられている係止部に係止するだけで容易に固定できる。
【０００８】
しかし、このトラフ固定用クリップ３０を使用したところ、トラフを壁面に寄せて配置したり、トラフとトラフを並列に隙間無く並べた場合にはフック３２の開閉用のスペースを十分に取れず、トラフ固定用クリップ３０を取り付け難いという懸念が生じた。また、見た目に開閉方法が容易に察知でき、悪意を持った者等がトラフ用蓋を容易に開閉できてしまうという懸念が生じた。
【０００９】
本発明はこのような問題点に鑑みてなされたもので、トラフを壁面に寄せて配置した場合等にもトラフ本体の開口に被せたトラフ用蓋をトラフ本体に容易かつ確実に固定することができ、固定した後には取り外し方法が容易に察知されないトラフ用蓋固定部材及びトラフを提供することを目的とする。
【課題を解決するための手段】
【００１０】
前記目的を達成すべく本発明の請求項１及び４に記載のトラフ用蓋固定部材及びトラフは、底壁部と２つの側壁部とから成るトラフ本体と前記トラフ本体に載置するトラフ用蓋と前記トラフ本体に前記トラフ用蓋を固定するトラフ用蓋固定部材とから成るトラフ用蓋固定部材及びトラフであって、前記トラフ用蓋固定部材は天板部と２つの側板部とから成り、２つの前記側板部は前記トラフ本体の２つの前記側壁部を挟める間隔を有しており、前記側板部には前記トラフ本体の前記側壁部に設けられた係止部に係止される板バネ部が形成されていることを特徴とするものである。
【００１１】
このようにしてなるトラフ用蓋固定部材及びトラフにおいては、トラフ用蓋固定部材は２つの側板部がトラフ本体をすっぽり覆う間隔に配置されており、トラフ本体に載置したトラフ用蓋の上方からトラフ本体を覆うようにして装着させるので、トラフが壁面に寄せられていたり、複数のトラフを並行に並べた等で幅方向のスペースが確保できない場合でも、トラフ用蓋固定部材を装着することができる。また、バックル等を使用せずにトラフをすっぽり覆っているので、トラフ用蓋固定部材の取り外し方法が容易に察知されない。従って、悪意を持った者等がトラフ用蓋を容易に開口してトラフ内部のケーブルを切断してしまう等の懸念が生じ難い。
【００１２】
更には、板バネを用いているため、トラフ用蓋固定部材の装着時にはトラフ用蓋固定部材をトラフ用蓋の上方にセットした後に天板を比較的小さな力で押せば、板バネ部がトラフ本体及びトラフ用蓋の側壁部等に押されて圧縮され、トラフ本体にトラフ用固定部材を容易に嵌めることができる。また、トラフ本体の係止部を通過して板バネ部の形状が元に戻った後は、板バネ部がトラフ本体の係止部に引っかかって、引き抜こうとしても引き抜くことができずトラフ本体からトラフ用蓋を簡単には外せない。
【００１３】
更に、前記目的を達成すべく本発明の請求項２及び５に記載のトラフ用蓋固定部材及びトラフは、上述のトラフ用蓋固定部材において、板バネ部を側板部の内側に形成し、且つ、前記天板部と前記側板部の接続部近傍にガイド孔を設けたものである。
【００１４】
このようにしてなるトラフ用蓋固定部材においては、板バネ部が側板部の内側に形成され、且つ、前記天板部と前記側板部の接続部近傍にガイド孔が設けられているため、操作棒等を用いることにより、ガイド孔に操作棒を挿入して操作棒を内側へ傾ければ、テコの原理によって容易に側板部が外側へ広がり、板バネ部をトラフ本体の係止部から外すことができる。その状態でトラフ用蓋固定部材を上方に引き上げて取り除けば、容易にトラフ用蓋をトラフ本体から取り外すことができる。
【００１５】
また、請求項３及び６に記載のトラフ用蓋固定部材は、折り曲げ一体成形された金属板である。このようにして成るトラフ用蓋固定部材は、１枚の金属製板を折り曲げて孔開け加工するだけなので、作製が容易でコストがかからない。
【発明の効果】
【００１６】
以上のように本願発明によれば、トラフを壁面に寄せて配置した場合等にもトラフ本体の開口に被せたトラフ用蓋をトラフ本体に容易かつ確実に固定することができ、固定した後には取り外し方法が容易に察知されないトラフ用蓋固定部材及びトラフを提供することができる。
【発明を実施するための最良の形態】
【００１７】
以下に本願発明のトラフ用蓋固定部材の第一の実施例を図１〜図３を用いて詳細に説明する。
【００１８】
図１は本願発明に係るトラフ１０のトラフ本体１１及びトラフ用蓋１２の一例を示す斜視図である。図１に示すように、このトラフ１０は底壁部２１と左右の側壁部２２、２２とを有し、上方が開口しているトラフ本体１１と、該トラフ本体１１の開口を塞ぐトラフ用蓋１２とからなっている。そして前記トラフ本体１１の左右の側壁部２２、２２の外面上部には係止部２３、２３が各々設けられている。
【００１９】
図２は本発明の第一の実施形態に係るトラフ用蓋固定部材１の斜視図である。図２に示すトラフ用蓋固定部材１は、幅４２ｍｍ、厚さが１．５ｍｍの１枚のステンレス製板を折り曲げ加工したもので、天板部２と２つの側板部３とを有する断面コ字状体であり、２つの側板部３は図１に示したトラフ１０をすっぽり覆える間隔に形成されている。また、２つの側板部３の先端は内角が１５度となるように内側に折り曲げて板バネ部４を形成しており、この板バネ部４はトラフ用蓋固定部材１を図１に示したトラフ１０に装着した時にトラフ本体１１の側壁部２２に設けられた係止部２３に係止できる位置に形成されている。更に、天板部２と側板部３の接合部にはそれぞれ長さ方向１０ｍｍの天板部に３ｍｍ及び側板部に３ｍｍに亘る切り欠け状のガイド孔５が１つずつ、計２つ設けられている。
【００２０】
図１のトラフ用蓋１２を図２のトラフ用蓋固定部材１を用いてトラフ本体１１に固定させる場合には、先ず、トラフ本体１１を布設後このトラフ１１内にケーブル類（図示しない）を収納し、その開口にトラフ用蓋１２を載置する。しかる後図３に示すように、トラフ用蓋固定部材１の２つの側板部３でトラフ本体１１の２つの側壁部２２を挟むようにしてトラフ用蓋固定部材１をトラフ用蓋１２の上方から被せ、板バネ部３を圧縮させながらトラフ本体１１の側壁部２２に設けた係止部２３の下方に押し込む。板バネ部４がトラフ本体１１の側壁部２２に設けた係止部２３の下側まで入り込むと、トラフ本体１１の側壁部２２の圧縮から開放されて板バネ部４が元の形状に戻り、その後は係止部２３に係止されて引き抜けなくなる。以上のようにして、極めて容易にトラフ本体１１とトラフ用蓋１２とを固定することができる。尚、トラフ本体１１を壁面に寄せ、開口にトラフ用蓋１２を載置した状態でトラフ用蓋固定部材１を装着してみたところ、幅方向のスペースが無くても問題なく装着できた。
【００２１】
一方、図３に示すようなトラフ本体１１とトラフ用蓋１２とをトラフ用蓋固定部材１にて固定した状態からトラフ用蓋固定部材１及びトラフ用蓋１２を取り外す方法について図４を用いて説明する。トラフ用蓋固定部材１を取り外す場合には、天板部２と側板部３との接合部に設けられたガイド孔５に、例えばマイナスドライバを挿入する。図４に示したトラフ用蓋固定部材１の場合は、２つの側板部３の接合部にそれぞれ１つずつガイド孔５が設けられているので、２本のマイナスドライバを用いる。マイナスドライバをガイド孔５に挿入したら、２本のマイナスドライバを互いの上方が近づくようにして内側に傾け、マイナスドライバの先端をトラフ用蓋固定部材１の側板部３の内側に当接させる。更にマイナスドライバを内側に傾けると、各ガイド孔５の天板部２の内側エッジ部６にも当接する。この状態から更にマイナスドライバを内側に傾けると、エッジ部６が支点となって、テコの原理により容易にトラフ用蓋固定部材１の側板部３が外側に広がる。
トラフ用蓋固定部材１の側板部３を外側に広げることにより、板バネ部４がトラフ本体１０の側壁部２２に設けられた係止部２３から外れたら、そのままトラフ用蓋固定部材１を上方に持ち上げればトラフ用蓋固定部材１がトラフ本体１１から外れる。すなわち、トラフ用蓋１２をトラフ本体１１から取り外すことができる。
【００２２】
尚、本発明の第一の実施形態に係るトラフ用蓋固定部材１においては、幅が４２ｍｍ、厚さ１．５ｍｍの細長のステンレス製板を折り曲げ加工したが、厚さと幅をいろいろ変えてトラフ用蓋固定部材１を作製してみた所、厚さを１ｍｍ以上にすると、幅に関わらず汎用の工具等での切断が困難になり、好ましいことがわかった。
【００２３】
次に本願発明の第二の実施例について説明する。第二の実施例が第一の実施例と異なる点は、板バネ部４がトラフ用蓋固定部材１の側板部３を内側に折り曲げ加工したものではなく、別部材にて形成した板バネ部４を側板部３に固定したことである。図５に本願発明の第二の実施例に係るトラフ用蓋固定部材１の断面形状を示す。例えば既設のトラフ本体１１に所望の係止部２３が形成されていない場合でも、そのトラフ本体１１の側壁部２２の外側に板バネ部４を係止させることができる段差部等があれば、トラフ用蓋固定部材１の側板部３にそのトラフ本体１１の段差部に対応する位置に板バネ部４を設けてあげれば良い。尚、図５に示したトラフ用蓋固定部材１の着脱方法は第一の実施例のトラフ用蓋固定部材１の着脱方法と同じであるため説明は省略する。
【００２４】
本願発明の第三の実施例を図６に示す。第三の実施例は、第一の実施例において、ガイド孔５を側板部３の外面に形成された半円錐状の孔としたことである。第三の実施例に係るトラフ用蓋固定部材１の装着方法は第一の実施例の装着方法と同じであるため、説明を省略する。本実施例において、トラフ本体１１及びトラフ用蓋１２からトラフ用蓋固定部材１を取り外す場合は、トラフ用蓋固定部材１の側板部に設けた半円錐状のガイド孔５にマイナスドライバ等の操作棒体を挿入し、天板部２と側板部３との接合部を支点としてテコの原理を用いて側板部３を広げる。以下、第一の実施例と同様にしてトラフ本体１１及びトラフ用蓋１２からトラフ用蓋固定部材１を取り外す。
【００２５】
更に、図７に本願発明の第四の実施例に係るトラフ用蓋固定部材１の断面形状を示す。第四の実施例に係るトラフ用蓋固定部材１では、側板部３の内側に先に行くに従って厚さが薄くなるようなテーパー状の段差を形成した。図７に示すトラフ用蓋固定部材１をトラフ本体１１に装着する場合には、前述のトラフ用蓋固定部材１と同様に、２つの側板部３でトラフ本体１１を挟み込むようにして被せ、天板部２を押しながらトラフ用蓋固定部材１を下方まで嵌め込む。ここで、本実施例に係るトラフ用蓋固定部材１を押し込んでいくと、テーパーに沿って側板部３が広がり、更に押し込んでいってテーパーの終端部がトラフ本体１１の係止部２３を通過すると、側板部３が側圧から開放されて元の位置に戻ると共にテーパーの終端がトラフ本体１１の係止部２３に係止される。つまり、本実施例の場合には側板部３そのものが板バネ部４の機能を果たしている。尚、本実施例に係るトラフ用蓋固定部材１を取り外す場合は前述と同じ方法にて行う。
【００２６】
更に、本願に係るトラフ用蓋固定部材１の別の実施例としては、トラフ用蓋１２の上を人間等が歩行する必要がない場合に、ガイド孔５の代わりに上側に側板把持部７を設けたものである。本願発明の第五の実施例を図８に示す。図８では、側板部を天板部２の上方まで形成することで、側板把持部７とした。図８のトラフ用蓋固定部材１を取り外す場合には、マイナスドライバ等の操作棒体を使用する必要はなく、天板部２の上方に突き出た側板把持部７を手で持ち、側板把持部７を内側へ倒して側板部３を外側へ広げ、板バネ部４を係止部２３から外してトラフ用蓋固定部材１をトラフ本体１１及びトラフ用蓋１２から外す。
【００２７】
更に、トラフ用蓋１２を取り外す必要がほとんどない場合には、板バネ部４を形成する位置を側板部３の内側に限定する必要がなく、例えばトラフ本体１１に形成された係止部２３がリング状である場合には、板バネ部４を側板部３の外側や側面に形成しても良いし、周方向に縮径するバネ等にしても良い。
【００２８】
また、本実施例に示したトラフ用蓋固定部材１はいずれも１枚のステンレス製板を折り曲げ加工したものであるが、材質はステンレスに限定されず、鋼板等でも良い。また、板の厚さも１．５ｍｍに限定されず、材料及び適用するトラフ１の大きさ等に応じて適宜設定すれば良い。
また、ガイド孔５の形状も本実施例に記載した形状に限定されない。操作棒体を挿入した時に、テコの原理等により側板部３を容易に広げられる位置に形成されていれば、例えば、天板部２のみに係り側板部３には係らないガイド孔５等でも良い。
【００２９】
以上のように本願発明によれば、トラフを壁面に寄せて配置した場合等にもトラフ本体の開口に被せたトラフ用蓋をトラフ本体に容易かつ確実に固定することができ、固定した後には取り外し方法が容易に察知されないトラフ用蓋固定部材を提供することができる。
【図面の簡単な説明】
【００３０】
【図１】本発明に係るトラフの一部の一例を示す一部斜視図である。
【図２】本発明の第一の実施形態に係るトラフ用蓋固定部材の斜視図である。
【図３】図２に示すトラフ用蓋固定部材を適用した本発明に係るトラフを示す斜視図である。
【図４】本発明に係るトラフ用蓋固定部材の取り外し方法について説明した斜視図である。
【図５】本発明の第二の実施形態に係るトラフ用蓋固定部材の横断面図である。
【図６】本発明の第三の実施形態に係るトラフ用蓋固定部材の斜視図である。
【図７】本発明の第四の実施形態に係るトラフ用蓋固定部材の横断面図である。
【図８】本発明の第五の実施形態に係るトラフ用蓋固定部材の横断面図である。
【図９】先願に係るトラフ固定用クリップの一例を示す斜視図である。
【符号の説明】
【００３１】
１  トラフ用蓋固定部材
２  天板部
３  側板部
４  板バネ部
５  ガイド孔
６  エッジ部
７  側板把持部
１０  トラフ
１１  トラフ本体
１２  トラフ用蓋
２０  トラフ固定用クリップ
２１  底壁部
２２  側壁部
２３  係止部
【図１】
2006175462.tif 000003
【図２】
2006175462.tif 000004
【図３】
2006175462.tif 000005
【図４】
2006175462.tif 000006
【図５】
2006175462.tif 000007
【図６】
2006175462.tif 000008
【図７】
2006175462.tif 000009
【図８】
2006175462.tif 000010
【図９】
2006175462.tif 000011